【手続補正書】
【提出日】平成18年12月11日(2006.12.11)
【手続補正１】
【補正対象書類名】特許請求の範囲
【補正対象項目名】全文
【補正方法】変更
【補正の内容】
【特許請求の範囲】
【請求項１】
光ディスクの一方の表面からレーザー光を照射することで前記表面に近い第１の記録層および前記表面から遠い第２の記録層にデータを記録する光ディスク記録方法であって、
連続するデータの記録中にデータを記録するアドレスの位置が第１の記録層および第２の記録層にまたがる場合に、
レーザー光を記録パワーにして第１の記録層へデータを記録し、
次のデータを記録する位置が第1の記録層であるのか第2の記録層であるのかを判断し、
次のデータを記録する位置が第１の記録層であると判断したときは第１の記録層への記録を続行し、
次のデータを記録する位置が第１の記録層と異なる第２の記録層であると判断したときは第１の記録層への記録を中断し、レーザー光のパワーを記録できないパワーに切り替えた後に第１の記録層から第２の記録層へ層間ジャンプを行い、第２の記録層におけるデータを記録する位置を検出した後、レーザー光を記録パワーに切り替えてデータの記録を再開する
ことを特徴とする光ディスクの記録方法。
【請求項２】
光ディスクの一方の表面からレーザー光を照射することで前記表面に近い第１の記録層および前記表面から遠い第２の記録層にデータを記録する光ディスク装置であって、
レーザー光を照射するレーザーと、
該レーザーの出力を制御するレーザーパワー制御回路と、
前記光ディスクの記録層にレーザー光を集光する為の対物レンズと、
前記対物レンズから得られる反射光に基づいてフォーカスエラー信号を生成するフォーカスエラー信号生成回路と、
前記フォーカスエラー信号から前記対物レンズを制御するフォーカス制御信号を生成するフォーカス制御信号生成回路と、
前記対物レンズを移動するために必要な電圧を出力する駆動電圧生成回路と、
前記駆動電圧生成手段の出力に応じて前記対物レンズを前記光ディスクの記録層と略垂直な方向に移動させる移動手段と、
連続するデータの記録中に、データを記録するアドレスの位置が第１の記録層および第２の記録層にまたがるときには、レーザー光を記録パワーにして第１の記録層へデータを記録し、次のデータを記録する位置が第1の記録層であるのか第2の記録層であるのかを判断し、次のデータを記録する位置が第１の記録層であると判断したときは第１の記録層への記録を続行し、次のデータを記録する位置が第２の記録層であると判断したときは第１の記録層への記録を中断しレーザー光のパワーを記録できないパワーに切り替えた後に第１の記録層から第２の記録層へ層間ジャンプを行い第２の記録層におけるデータを記録する位置を検出した後にレーザー光を記録パワーに切り替えてデータの記録を再開する層間ジャンプ制御を実行する制御回路と、
を具備することを特徴とする光ディスクの記録方法。
【請求項３】
データの記録と再生が可能な複数の記録層を有するディスクの各層にフォーカス制御をかけるための層間ジャンプ機能を有する光ディスク装置において、
ディスクの記録層にレ−ザ−光線を集光する為の対物レンズと、
上記対物レンズから得られる反射光に基づいてフォーカスエラー信号を生成するフォーカスエラー信号生成手段と、
前記フォーカスエラー信号から上記対物レンズを制御するフォーカス制御信号を生成する生成手段と、
上記対物レンズを移動するために必要な電圧を出力する駆動電圧生成手段と、
上記駆動電圧生成手段の出力に応じて上記対物レンズをディスクの記録層と略垂直な方向に移動する移動手段と、
次のデータの記録位置が異なる記録層であると判断したときに、データを記録するために高出力になっているレーザー光の出力を、一旦データを記録もしくは消去不可能な低出力に切り替えてから層間ジャンプを行なわせる制御手段と
を備えたことを特徴とする光ディスク装置。
【請求項４】
データの記録と再生が可能な複数の記録層を有するディスクの各層にフォーカス制御をかけるための層間ジャンプ機能を有する光ディスク装置において、
ディスクの記録層にレ−ザ−光線を集光する為の対物レンズと、
上記対物レンズから得られる反射光に基づいてフォーカスエラー信号を生成する信号処理回路と、
前記フォーカスエラー信号から上記対物レンズを制御するフォーカス制御信号を生成するフォーカス制御回路と、
上記対物レンズを層間移動させるために必要な駆動電圧を出力する駆動電圧生成回路と、
上記駆動電圧生成回路の出力に応じて上記対物レンズをディスクの記録層と略垂直な方向に移動させるアクチュエータと、
次のデータの記録位置が異なる記録層であると判断したときに、データを記録するために高出力になっているレーザー光の出力を、一旦データを記録もしくは消去不可能な低出力に切り替える制御を行なってから、層間ジャンプを行なわせる制御回路と
を備えたことを特徴とする光ディスク装置。
【請求項５】
データの記録と再生が可能な複数の記録層を有するディスクの各層にフォーカス制御をかけるための層間ジャンプ機能を有する光ディスク装置において、
ディスクの記録層にレ−ザ−光線を集光する為の対物レンズと、
上記対物レンズから得られる反射光に基づいてフォーカスエラー信号を生成するフォーカスエラー信号生成手段と、
前記フォーカスエラー信号から上記対物レンズを制御するフォーカス制御信号を生成する生成手段と、
上記対物レンズを移動するために必要な電圧を出力する駆動電圧生成手段と、
上記駆動電圧生成手段の出力に応じて上記対物レンズをディスクの記録層と略垂直な方向に移動する移動手段と、
ディスク上のデータを記録および再生するためのレーザーの出力を制御する手段と、
次のデータの記録位置が異なる記録層であると判断したときに、データを記録するために高出力になっているレーザー光の出力を、一旦データを記録もしくは消去不可能な低出力に切り替えてから層間ジャンプを行なわせる制御手段と
を備えたことを特徴とする光ディスク装置。
【請求項６】
データの記録と再生が可能な複数の記録層を有するディスクの各層にフォーカス制御をかけるための層間ジャンプ機能を有する光ディスク装置において、
ディスクの記録層にレ−ザ−光線を集光する為の対物レンズと、
上記対物レンズから得られる反射光に基づいてフォーカスエラー信号を生成する信号処理回路と、
前記フォーカスエラー信号から上記対物レンズを制御するフォーカス制御信号を生成するフォーカス制御回路と、
上記対物レンズを層間移動させるために必要な駆動電圧を出力する駆動電圧生成回路と、
上記駆動電圧生成回路の出力に応じて上記対物レンズをディスクの記録層と略垂直な方向に移動させるアクチュエータと、
ディスク上のデータを記録および再生するためのレーザーの出力を切り替えるレーザパワーコントロール回路と、
次のデータの記録位置が異なる記録層であると判断したときに、レーザパワーコントロール回路を制御して該データを記録するために高出力になっているレーザー光の出力を、一旦データを記録もしくは消去不可能な低出力に切り替えてから層間ジャンプを行なわせる制御回路と
を備えたことを特徴とする光ディスク装置。
【手続補正２】
【補正対象書類名】明細書
【補正対象項目名】発明の名称
【補正方法】変更
【補正の内容】
【発明の名称】光ディスクの記録方法、および、光ディスク装置
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】削除
【補正の内容】
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２５
【補正方法】変更
【補正の内容】
【００２５】
光ディスクの一方の表面からレーザー光を照射することで前記表面に近い第１の記録層および前記表面から遠い第２の記録層にデータを記録する光ディスク記録方法であって、
連続するデータの記録中にデータを記録するアドレスの位置が第１の記録層および第２の記録層にまたがる場合に、レーザー光を記録パワーにして第１の記録層へデータを記録し、次のデータを記録する位置が第1の記録層であるのか第2の記録層であるのかを判断し、次のデータを記録する位置が第１の記録層であると判断したときは第１の記録層への記録を続行し、次のデータを記録する位置が第１の記録層と異なる第２の記録層であると判断したときは第１の記録層への記録を中断し、レーザー光のパワーを記録できないパワーに切り替えた後に第１の記録層から第２の記録層へ層間ジャンプを行い、第２の記録層におけるデータを記録する位置を検出した後、レーザー光を記録パワーに切り替えてデータの記録を再開する。